(57)【要約】【課題】  自動車等の車内で携帯電話の充電操作を容易にすると共に車内で携帯電話にてテレビを見る人に最適の画面位置を提供することができる。【解決手段】  携帯電話器本体と共にその卓上ホルダーも含めて車内に持ち込み、車のシガレットライタソケットに接続した充電アダプタを卓上ホルダーに接続して充電を行うと共に車のダッシュボード等に設置された台座とこの上方に接続する支持部材と支持部材上部に設置されたヒンジとこれを介して取り付けられた卓上ホルダー設置体にて卓上ホルダーを支持する。卓上ホルダー上の携帯電話器のテレビ画面を横方向の回転角度並びに上下方向の傾斜角度を自由に選択し固定支持する。【選択図】図１
0003125821.tif 000002
【実用新案登録請求の範囲】
【請求項１】
車のダッシュボード等に設置された台座とこの上方に接続する支持部材と支持部材上部に設置されたヒンジとこれを介して取り付けられた卓上ホルダー設置体とからなることを特徴とする車載用携帯電話器卓上ホルダー支持装置
【請求項２】
上記卓上ホルダー設置体に卓上ホルダーを固定するための固定具を有することを特徴とする請求項１記載の車載用携帯電話器卓上ホルダー支持装置
【請求項３】
上記台座に一部断面円形の支持部材を挿入して支持するための円柱窪みを設けると共に支持部材の回転角度を任意に固定するための台座外側に固定ねじを有することを特徴とする請求項１記載の車載用携帯電話器卓上ホルダー支持装置
【請求項４】
上記ヒンジに上記卓上ホルダー設置体の傾斜角度を任意に固定するための固定具を有することを特徴とする請求項１記載の車載用携帯電話器卓上ホルダー支持装置
【考案の詳細な説明】
【技術分野】
【０００１】  本考案は自動車などの車内で携帯電話にてテレビを見ると共に簡単に充電操作が出来るための携帯電話器卓上ホルダー支持装置に関する。
【背景技術】
【０００２】  これまで自動車などの車内に携帯電話を固定するには携帯電話器本体を車内のダッシュボード上などに設置した携帯電話器固定台に保持していた（特許文献１参照）。この場合、車内での携帯電話への充電は、車設置のシガレットライタソケットに充電アダプタの一方の端子であるシガレットライタプラグを差し込み、他の端子である充電器コネクタを携帯電話器の外部接続端子に差し込んで行われる。
【特許文献１】特開平１１−４０２５２
【考案の開示】
【考案が解決しようとする課題】
【０００３】  上記技術において、家屋等の室内で充電中の携帯電話器本体を車内に持ち込み充電するには室内の卓上ホルダーから携帯電話器本体を取り外し、これをダッシュボード上などに設置した携帯電話器固定台に保持し、シガレットライタソケットに接続された充電アダプタの充電器コネクタを携帯電話器の外部接続端子に差し込むこととなる。この際、携帯電話器内部の精密構造部に外部から埃などが入り込まないように、携帯電話器の外部接続端子上面に埃などの侵入防止カバーが設置されているがこれを指の爪でそのつど開けてコネクタを差し込む必要があり、大変煩わしい。【０００４】  更に近年の携帯電話器の機能向上の一つとしてテレビを見ることができることが挙げられる。車内でテレビを楽しむためには見る人に対する画面の横方向の回転角度並びに上下方向の傾斜角度を最適に選択する必要があるが、これを自由に選択し固定する技術は出現していない。またテレビを見るためにはその大きな消費電力ゆえに充電をテレビ鑑賞と同時に行うことが必須となるが充電には上述のように大変煩わしい作業を要することとなる。【０００５】  上記事情に鑑み、本考案は、携帯電話でテレビ画面を美しく見ると共に同時に充電を容易に行うことができる携帯電話器卓上ホルダー支持装置を提供することを目的としている。
【課題を解決するための手段】
【０００６】  本考案は携帯電話器本体と共にその卓上ホルダーも含めて車内に持ち込むことを特徴とし、詳しくは携帯電話器本体を載せた卓上ホルダーの設置体に関するものであり、携帯電話器の画面を横方向の回転角度並びに上下方向の傾斜角度を自由に選択し固定支持することを要旨とするものである。なお卓上ホルダーは室内で用いていたものをそのまま車内に持ち込む兼用の場合（１台の卓上ホルダー使用）並びに室内用と車内用の専用の場合（２個の卓上ホルダー使用）いずれでも良い。【０００７】  すなわち、請求項１の考案は、車のダッシュボード等に設置された台座とこの上方に接続する支持部材と支持部材上部に設置されたヒンジとこれを介して取り付けられた卓上ホルダー設置体とからなることを特徴とする車載用携帯電話器卓上ホルダー支持装置である。【０００８】  ここでいう携帯電話器卓上ホルダーとは室内などで携帯電話器を横にねせてあるいは立てて机などに置くと共に同時に充電を行うことができる保持具である。上記ホルダーは携帯電話器に比べ埃などの侵入をそれほど嫌わないため埃などの侵入防止カバーが外部接続端子に設置されておらず、卓上ホルダーとして室内で用いていたものをそのまま車内に持ち込む兼用の場合（１台の卓上ホルダー使用）、シガレットライタソケットに接続された充電アダプタの充電器コネクタを車内に持ち込まれた卓上ホルダーの外部接続端子に容易に差し込むことができる。なお卓上ホルダーが室内用と車内用の専用の場合（２個の卓上ホルダー使用）車内用卓上ホルダーの外部接続端子には常時充電アダプタの充電器コネクタが差し込まれ、充電時はシガレットライタソケットに充電アダプタが接続される。いずれにおいても、卓上ホルダーに携帯電話を設置すれば充電できる。また台座はダッシュボード等とは接着剤、両面接着剤付テープ或いはマジックテープ（登録商標）その他の手段で固着されている。【０００９】  請求項２の考案は上記卓上ホルダー設置体に卓上ホルダーを固定するための固定具を有することを特徴とする請求項１記載の車載用携帯電話器卓上ホルダー支持装置である。固定具としては携帯電話器を横にねせてあるいは立てて机に置くなどで種々の形状の異なる卓上ホルダーを車の走行中の振動、急停車などに対しても的確に固定する必要がある。具体的にはねじを用いたねじ留め、バネ等の弾性体による留めなどの各種方法が適宜使用される。【００１０】  請求項３の考案は上記台座に一部断面円形の支持部材を挿入して支持するための円柱窪みを設けると共に支持部材の回転角度を任意に固定するための台座外側に固定ねじを有することを特徴とする請求項１記載の車載用携帯電話器卓上ホルダー支持装置である。なお固定ねじについては、内面にねじを切った穴を台座を貫通して開け、固定ねじ先端を支持柱面に押し付けてこれを固定するなどの各種方法が適宜使用される。これによって、車内でテレビを快適に見る人に対する画面の横方向の回転角度を最適に選択しこれを固定することができるのである。【００１１】  請求項４は上記ヒンジに上記卓上ホルダー設置体の傾斜角度を任意に固定するための固定具を有することを特徴とする請求項１記載の車載用携帯電話器卓上ホルダー支持装置である。ヒンジ部にはヒンジを貫通する穴を設け、穴にボルトを通し、穴を通り抜けてヒンジの外部に出たボルト先端をナットで締めて固定するなどの各種方法が適宜採用される。これによって、車内でテレビを快適に見る人に対する画面の上下方向の傾斜角度を最適に選択しこれを固定することができるのである。
【考案の効果】
【００１２】  本考案はこれまで述べたように、携帯電話器本体と共にその卓上ホルダーも含めて車内に持ち込むことを特徴とし、詳しくは携帯電話器本体を載せた卓上ホルダーの設置体に関するものである。【００１３】  本考案によれば、携帯電話器への充電は携帯電話器の外部接続端子上面のカバーをそのつど開ける煩わしさがなく、シガレットライタソケットに接続された充電アダプタの充電器コネクタを卓上ホルダーの外部接続端子に容易に差し込むことができる。【００１４】  また本考案による卓上ホルダー支持装置は横方向の回転角度並びに上下方向の傾斜角度の選択・固定が容易であるため携帯電話器にてテレビを見る人に最適の画面位置を提供することができる。【００１５】  以上により、携帯電話器にて車内でテレビを充電を行いつつ見ることが極めて容易にできることとなったのである。
【考案を実施するための最良の形態】
【００１６】  図１〜図３を参照して本考案の実施形態を説明する。【００１７】  図１は本考案の実施形態の一例を示す。車内のダッシュボード（図示せず）等に円柱窪みを有する台座１が設置され、この窪み内に支持部材２の下部の断面円形部３が挿入されて台座１に支えられると共に支持部材２の上部にはヒンジ４が設置され、これを介して卓上ホルダー設置体５が取り付けられる。そして卓上ホルダー設置体５の上に卓上ホルダー６、その上に携帯電話器本体７が置かれる。また、充電は車設置シガレットライタソケット８に接続された充電器プラグ９を一端に有する充電アダプタ１０の他の端子である充電器コネクタ１１を卓上ホルダー６の外部接続端子１２に差し込んで行われる。なお支持部材２は円柱窪みを有する台座１に支えられると共に支持部材２の回転角度を固定する固定ねじ１３を取り付ける。この固定ねじ１３については、内面にねじを切った穴を台座を貫通して開け、固定ねじ先端を支持部材面に押し付けて支持部材が回転することを防いで、卓上ホルダー設置体５の回転角度を任意に固定する。また支持部材２と卓上ホルダー設置体５の間に置かれるヒンジ４には卓上ホルダー設置体４の傾斜角度を固定するためのボルト・ナット締結による傾斜角度固定具１４が取り付けられている。なお支持部材２の上部構造は特に限定されることはなく広い空間部分を設け、ここに携帯電話器本体とスピーカやマイクなどを接続するハンドフリー配線あるいはその他の小物類を収める物品収納箱などを設置することもできる。【００１８】  図２は卓上ホルダー６を卓上ホルダー設置体５に固定するための固定具としてねじ１５を用いた固定図である。卓上ホルダー設置体５に貫通してねじ山を切った穴にねじ１５をねじ込んで卓上ホルダーを固定する。図３は卓上ホルダー６を卓上ホルダー設置体５に固定するための固定具としてバネ１６を用いた固定図である。卓上ホルダー設置体５に取り付けたバネ１６に卓上ホルダー６の上部を接触させてバネ１６を中に押し込み、卓上ホルダー６を卓上ホルダー設置体５に取り付けてバネ１６の反発力を用いて固定する。なお両図において固定を更に確実にさせるため適宜ゴム１７などの弾性体が使用されても良い。また両図において傾斜角度固定具１４の先端は上述したナットを用いずヒンジ４の該当部にねじを切って固定している。
【図面の簡単な説明】
【００１９】
【図１】本考案の実施形態の一例である。
【図２】卓上ホルダー設置体への卓上ホルダーねじ固定図である。
【図３】卓上ホルダー設置体への卓上ホルダーバネ固定図である。
【符号の説明】
【００２０】  １  台座
２  支持部材
３  断面円形部
４  ヒンジ
５  卓上ホルダー設置体
６  卓上ホルダー
７  携帯電話器本体
８  シガレットライタソケット
９  シガレットライタプラグ
１０  充電アダプタ
１１  充電器コネクタ
１２  外部接続端子
１３  固定ねじ
１４  傾斜角度固定具
１５  ねじ
１６  バネ
１７  ゴム
【図１】
0003125821.tif 000003
【図２】
0003125821.tif 000004
【図３】
0003125821.tif 000005